(57)【要約】【課題】紙細断をする時、簡単に紙を挟むことがなく、容易に紙を細断できる文書細断機の刀身構造を提供する。【解決手段】一対の円筒形ロール刀とから構成され、各ロール刀に多角形ロッドと複数のロッド上に嵌設される段差刀身とが含有され、互いに位置ずれである二つの円筒形ロール刀の段差刀身によって組み立てられ、各段差刀身が２組の補助刀身とから構成され、各補助刀身の全体厚さがやや薄く、補助刀身の内側に環状の突出が設けられ、２組の抵当する補助刀身が互い突出が突出に抵当することにより１組の段差刀身を構成する。【選択図】図３
0003117989.tif 000002
【実用新案登録請求の範囲】
【請求項１】
二つの回転方向が逆である円筒形ロール刀が含有され、各ロール刀に、多辺形のロッドと、複数の当該ロッド上に嵌設される段差刀身とがあり、隣の段差刀身の間に、二つの円筒形ロール刀上の段差刀身が位置ずれのように組み立てられるためのパッドが設けられ、各段差刀身が、２組の互いに抵当する補助刀身から構成され、各段差刀身の補助刀身の周りに、補助刀身の周りから外へ突出する、少なくとも一つの細断刃部が形成される、文書細断機の刀身構造であって、段差刀身の補助刀身の全体厚さがやや薄く、当該補助刀身の内側に、刀の厚さを増加するための環状の突出が設けられ、２組の互いに抵当する補助刀身が、突出が突出に抵当することにより１組の段差刀身が形成され、また、細断刃部の刀刃が、複数層の刀刃を重ねて畳むことにより厚さを増加し、そして、平らにして斜角にしから、カットして仕上げすることにより構成される、ことを特徴とする文書細断機の刀身構造。
【考案の詳細な説明】
【技術分野】
【０００１】
本考案は、文書細断機の刀身構造に関し、特に、文書細断機の刃部の段差刀身の補助刀身の全体厚さがやや薄く、二つの補助刀身が、互いに突出が突出に抵当することにより、１組の段差刀身を構成し、これにより、材料を節約することが出来、また、補助刀身の細断刃部が、複数層の刀刃を重ねて畳むことにより厚さを増加してから、平らにして斜角にし、また、カットしてから仕上げすることにより構成され、刀刃の厚さが比較的に厚いため、同時に複数の紙を細断する時、補助刀身のカットにより、簡単に紙を細断でき、紙を挟むことが低減される。
【背景技術】
【０００２】
図１のように、従来の文書細断機の刃部は、二つの円筒形ロール刀1、1’とから構成され、各ロール刀に、多辺形のロッド2と、複数の当該ロッド上に嵌設される段差刀身4とが含有され、また、隣の二つの段差刀身4の間に、隔離するための座金6が設けられ、これにより、互いに位置ずれである二つの円筒形ロール刀上の段差刀身4によって組み立てられる。図２のように、各段差刀身4が、２組の裏同士が互いに抵当する補助刀身4aとから構成され、各補助刀身4aの周りに、複数の細断刃部4bを有し、文書細断機の細断刃部4bが紙を細断する時、刀身の細断刃部4bが、同時に紙を細断し、１枚の紙を細断する場合、簡単的であるが、複数の紙を細断する場合、より大きい出力馬力が必要し、そして、騒音が大きく、文書細断機の駆動ギアに比較的に小さい力が印加され、ギア上の歯が壊れる恐れがある。
【０００３】
本考案者は、業界においての長年の経験に基づいて、慎重に研究し、また、何度も試作して、従来の製品の欠陥を解決でき、効果が向上される文書細断機の刀身を開発した。
【考案の開示】
【考案が解決しようとする課題】
【０００４】
本考案の主な目的は、スムーズに紙を裁断できる文書細断機の刀身構造を提供する。
【課題を解決するための手段】
【０００５】
主として、文書細断機の刃部の段差を有する刀身の各補助刀身を、より薄いように設計され、二つの補助刀身が、突出が突出に抵当することにより、１組の段差刀身が形成され、これにより、コストの低減ができ、細断刃部が、複数層の刀刃を重ねて畳でから、平らにして斜角にし、また、カットしてから仕上げすることにより構成されるから、比較的に厚いため、文書細断機で紙を細断する時、必要とする、出力馬力が比較的に小さく、また、騒音が比較的に小さく、そして、駆動ギアに比較的に小さい力が印加され、段差刀身の重量が比較的に軽くて、従来の文書細断機の補助刀身の半分以下の材料で済み、そのため、紙を挟むことなく、スムースに紙を細断できる、文書細断機の刀身構造を提供する。
【考案を実施するための最良の形態】
【０００６】
以下、図面を参照しながら、本考案を詳しく説明する。
図３のように、本考案に係わる文書細断機の刃部は、二つの円筒形ロール刀10、10’とから構成され、各ロール刀には、多辺形のロッド12と、複数の当該ロッド上に嵌設される段差刀身14とが含有され、隣の段差刀身14の間には、隔離するためのパッド16が設けられ、互いに位置ずれである二つの円筒形ロール刀10、10’上の二つの段差刀身14によって組み立てられる。図４〜図６のように、各段差刀身14は、２組の背合わせの補助刀身14aとから構成され、各組の補助刀身14aの周りに、それぞれ、１組以上の細断刃部14bが設けられ、２組の抵当する補助刀身14a上にある対応する細断刃部14bにより、紙が細断される。
【０００７】
本考案の主な特徴は、各段差刀身14の補助刀身14aの全体厚さが薄くなり（従来の補助刀身の1/2以下である）、各補助刀身14aの内側に環状の突出14cが設けられ、当該突出14cは、補助刀身14aの全体強度を向上できるだけでなく、刀の厚さを増加でき、２組の抵当する補助刀身14aは、突出14cが突出14cに抵当することにより１組の段差刀身14を形成するため、コストの低減ができる。
【０００８】
補助刀身14aの細断刃部14bの刃先は、複数層の刃の厚さを有し、その製作方法は、主として、一般の補助刀身14aである複数層の細断刃部14bを重ねて畳むことにより、厚さを増加してから、平ら（補助刀身14aに均整する）にしてから、細断刃部14bの刃先を斜角にし、最後に、仕上げして余計な刀刃をカットすることにより、やや厚い細断刃部14bが形成され、当該細断刃部14bの刀刃が、一般の文書細断機の刀刃より厚いため、紙を細断する時、力が強くて紙を挟むことがない。
【０００９】
本考案に係わる文書細断機は、使用する時、刃部が、二つの位置ずれのように設置された段差刀身14の細断刃部14bで、紙を掻き引いて補助刀身14aの外縁にある刀身で、細長い紙屑を短く細断することにより、機密性を向上できる。また、本考案に係わる文書細断機の刃部は、独自な構造設計により、刃部10上の全ての補助刀身14aの厚さがやや薄く、細断刃部14bの刀刃が比較的に厚い構造になり、２組のロール刀10、10’の二つの段差刀身14が対向する時、その一つの段差刀身14の細断刃部14bが、もう一つの段差刀身14の突出14cに抵当し（二つの位置ずれの段差刀身14は、突出14で突出14に抵当することではない）、高品質と高効率、低騒音及び低コストの効果が得られる。
【００１０】
以上のように、本考案に係わる文書細断機の刀身構造は、新鋭性を有する文書細断機の刃部になり、確実的に既存の文書細断機の缺点を解消できるため、実用性と新鋭性を有する提案である。
【図面の簡単な説明】
【００１１】
【図１】従来の文書細断機の刃部の立体概念図
【図２】従来の文書細断機の刃部の補助刀身の平面図
【図３】本考案の立体概念図
【図４】本考案に係わる段差刀身の外観図
【図５】本考案に係わる段差刀身の平面図
【図６】本考案に係わる段差刀身の断面図
【符号の説明】
【００１２】
１、１’      ロール刀
2             ロッド
4             段差刀身
4a            補助刀身
4b            細断刃部
6             座金
10、10’      ロール刀
12            ロッド
14            段差刀身
14a           補助刀身
14b           細断刃部
14c           突出
16            パッド
【図１】
0003117989.tif 000003
【図２】
0003117989.tif 000004
【図３】
0003117989.tif 000005
【図４】
0003117989.tif 000006
【図５】
0003117989.tif 000007
【図６】
0003117989.tif 000008